(57)【特許請求の範囲】
【請求項１】
包装箱に収容提供される上着に装用される保形台紙であって、１枚の厚紙を切り抜いた基板における両脇下相当位置において各々内方向に切込線を設ける一方、両肩相当位置から前記切込線に至る内折目と外折目を設けることにより両折目間を立壁としつつ外折目より外方を肩支持板とし、さらに肩支持板の下端からは前記切込線より下方に突出するよう係合突起を延設して、内折目を谷折りとし、外折目を山折りとして屈曲しつつ前記係合突起の下端に刻設された係合溝を前記切込線の途中より下方に延設した係合溝に係合させることによって、前記肩支持板を隆起保持させるよう形成してなる上着用保形台紙。
【請求項２】
内折目と外折目の間隔を、切込線側から両肩相当位置側に至るにつれて次第に広くなるように形成したことを特徴とする請求項１記載の上着用保形台紙。
【請求項３】
基板の切込線より下方において略水平な２本の折曲線を設け、該折曲線間の両端部を切り欠くとともに、下側折曲線から基板下端部までの長さを包装箱の内寸と概略一致させたことを特徴とする請求項１または請求項２いずれか記載の上着用保形台紙。
【発明の詳細な説明】
【０００１】
【発明の属する技術分野】
本発明は、主として包装箱に収容した状態で提供される学生服等の上着に装用される保形台紙の改良に関する。
【０００２】
【従来の技術】
学生服の需要は新入学・進級を迎える春季と夏服から冬服への衣替えが行われる秋季に集中するため、縫製された学生服は、扁平な矩形をした紙製の包装箱に収容保管されるのが通例である。このような包装箱を用いた保管方法によれば多段積み重ねが可能となるので、ハンガー等を用いた吊下保管方法に比して保管スペースの軽減が図られるほか、需要期まで大量にストックされる学生服の損傷や汚れを防止できるし、輸送や店頭保管、需要者の持ち帰り等においても便利だからである。
【０００３】
ところが、学生服を包装箱に収容して提供する場合には、折り癖や型くずれが生じ易い。そこで、従来より学生服の内側に保形台紙を装用して型くずれ防止を図ることが行われている。図４は、従来一般に使用されている保形台紙を示した平面図である。この保形台紙は１枚の厚紙を上半身を模した形状に切り抜いたものを基板１とし、学生服に装用した際に詰襟部分から保形台紙が露出しないよう基板１の上端に襟ぐり２が設けられる一方、脇下相当位置に設けた切込線５の上下部分を重ね合わせてステープラー針６で止着することにより、保形台紙に対して人間の胸部を模した膨らみを与え、学生服の保形効果の向上を図っている。
【０００４】
【発明が解決しようとする課題】
前記保形台紙を装用すれば、包装箱内に収容された学生服が前後左右に偏って皺になったりしないし、保形台紙とともに学生服の裾部分を背中側に緩やかに折り曲げておけば折り癖が付き難いという利点も得られていたのであるが、学生服の装用時において胸全体が一様に膨出してしまう結果、詰襟基部の第一釦付近に余分な皺が生じ易く、また、保形という観点からは最も重要となる両肩部分を隆起させることができないために学生服の両肩部分が潰れてしまい易いという欠点があり、保形台紙としては必ずしも十分なものとは言い難かった。さらに、組み立てに使用するステープラー針６が誤って学生服に付着したり包装箱内に混入する事故や、学生服内に保形台紙を挿脱する際にステープラー針６で指などを傷つける等製造責任等との関係においても問題があった。さらに、リサイクルのためにはステープラー針６を除去する必要もあり煩雑であった。
【０００５】
そこで、最近では図５に示されるような立体成形を施した発泡ポリスチレン等の樹脂製保形台紙が使用されることも多くなっている。確かに樹脂成形品であれば、基板１の上端に襟ぐり２を設けたり両肩部分７のみを隆起させたりと、保形台紙として最も理想的な形状を簡単に実現できるのであるが、樹脂製品は廃棄処理に問題があって近時の環境保全に逆行するものであるから採用し難い。本発明は、従来用いられていた前記保形台紙の欠点に鑑みてなされたものであり、その主要課題は、環境にやさしい紙素材のみを用いて、効果的な保形効果を奏することのできる上着用保形台紙を提供することにある。
【０００６】
【課題を解決するための手段】
前記課題解決のため、本発明では、包装箱に収容提供される上着に装用される保形台紙を１枚の厚紙を切り抜いて簡単に組立形成可能にした。具体的には、基板における両脇下相当位置において各々内方向に切込線を設ける一方、両肩相当位置から前記切込線に至る内折目と外折目を設けることにより両折目間を立壁としつつ外折目より外方を肩支持板とし、さらに肩支持板の下端からは前記切込線より下方に突出するよう係合突起を延設して、内折目を谷折りとし、外折目を山折りとして屈曲しつつ前記係合突起の下端に刻設された係合溝を前記切込線の途中より下方に延設した係合溝に係合させることによって、前記肩支持板を隆起保持させるよう形成してなる上着用保形台紙である。
【０００７】
このように本発明に係る保形台紙は、従前の保形台紙と同様に１枚の厚紙製とし、上着の包装時において内折目と外折目を各々屈曲させながら、係合突起における係合溝を切込線の係合溝に係合させるだけでステープラー等を用いることなく簡単に組み立てて学生服等の上着に装用することができるほか、保形効果を図る点から最も重要な両肩部分を保形台紙の肩支持板によって隆起保持可能に形成した。
【０００８】
保形台紙に設ける内折目と外折目の間隔は、切込線側から両肩相当位置側に至るにつれて次第に広くなるように形成しておくとよい。内折目よりも内側に位置する基板は、上着に装用して包装箱に収容した際には箱の底面に当接するように下がってしまうから、肩支持板を十分隆起させた状態に保持するためには、両肩相当位置側の立壁を高くしておく必要がある。とくに、後述のように基板とともに上着を上下二つ折りにして包装箱に収容すると、該折目部分から基板上端部分までが下降傾斜することになるから、立壁は両肩相当位置側ほど高くしておく必要がある。
【０００９】
基板には、前記切込線より下方において略水平な２本の折曲線を設けて、該折曲線間の両端部を切り欠くとともに、下側折曲線から基板下端部までの長さを包装箱の内寸と概略一致させておくと、作業の効率化と、収容した学生服が上下方向にズレて皺が生じることを防止できる。
【００１０】
すなわち、学生服が収容される包装箱は、持ち帰りの便宜等のために上部に提げ手が設けられた横長形状をしており、縦方向の長さは短い。そのため、学生服は上下に二つ折りされた状態で包装箱に収容されることになるから、前記従来の紙製保形台紙も学生服に装用された状態で一緒に二つ折りされるわけである。ところが、保形台紙を装用した状態の学生服をどの部分で二つ折りにするかは作業者の経験によっていた。本発明に係る保形台紙では、２本の折曲線間の両端部を切り欠いて、学生服内に装用した場合においても学生服の上から指で触るだけで折り曲げ位置を特定することができるようにしたのである。
【００１１】
また、前記従来の樹脂製保形台紙では、上下二つ折り部分の肉厚を確保するために基板１下端部を略コ字形に折り返してあるが、図示されるように折返片８は極めて短いために、折り返された学生服の裾が皺になることを防止することはできない。しかるに、本発明に係る保形台紙では、下側折曲線から基板下端部までの長さを包装箱の内寸と概略一致させて、包装箱内に収容された学生服が上下方向にズレないよう安定固定を図っている。
【００１２】
【発明の実施の形態】
以下、図面に基づいて本発明を詳細に説明する。図１は本発明に係る上着用保形台紙の一例を示した平面図、図２は同保形台紙を組み立てた状態の平面図、図３は同保形台紙を上下に二つ折りした状態の平面図である。なお、図３は保形台紙のみを示しているが、実際には保形台紙は学生服等上着内に装用されている。
【００１３】
本例の保形台紙は、１枚の厚紙をもって人の上半身を模した形状に切り抜いた基板１ａ，１ｂからなり、学生服に装用した際においても詰襟等から保形台紙が露出しないように、詰襟より大きな襟ぐり２が設けられている。左右の両脇下相当位置には各々内方向に略水平な切込線１１が設けられており、両肩相当位置から切込線１１の終端まで内折目１２が設けられ、該内折目１２より外方において両肩相当位置から切込線に至る外折目１３が設けられている。これら内折目１２と外折目１３との間隔は、切込線１１側から両肩相当位置側に至るにつれて次第に広くなるように形成されており、その間が立壁３として形成される。
【００１４】
外折目１３より外方は肩支持板４とされる。この肩支持板４の外方下端からは前記切込線１１より下方に突出するよう係合突起３１が延設されている。その結果、切込線１１は、基板１ａの下側半分の輪郭線と連続した略カギ形状に形成されている。そして、係合突起３１の下端には係合溝３２が刻設され、切込線１１の途中外方寄りには係合溝１１１が刻設されている。
【００１５】
以上のように形成された保形台紙において、内折目１２を谷折りとし、外折目１３を山折りとして屈曲しつつ、係合突起３１における係合溝３２を切込線１１における係合溝１１１に係合させると、図２に示されるように、肩支持板４が隆起支持されることになる。保形台紙は、この状態で学生服等上着内に装用される。
【００１６】
図１に示されるように、基板１ａにおける切込線１１より下方には、保形台紙を上下二つ折りにする際の便宜のため、略水平な上下２本の折曲線１４，１５が設けられている。上側折曲線１４の配設位置は包装箱の内寸との関係において決定されるが、例えば保形台紙を学生服に装用する際には、詰襟上端部分が包装箱の内壁に押しつけられて型くずれしないように、詰襟上端から折曲線１４までの距離が包装箱内寸の縦長さよりも若干短くなるように設定するのが望ましい。
【００１７】
一方、下側折曲線１５の配設位置も包装箱の内寸との関係において決定される。すなわち、下側折曲線１５から基板１ｂ下端部までの長さＬを包装箱内寸の縦長さと概略一致するよう調整するとよい。また、図示されるように基板１ｂの左右両下端部を曲線的に切り抜いておけば、鋭角に切り抜いた場合に比して輸送時等において包装箱内壁との強い接触を低減でき、両者の摩擦によって学生服の生地が傷むことを防止できる効果が得られる。
【００１８】
これら上側折曲線１４と下側折曲線１５間の両端部には、左切欠部１６と右切欠部１７が設けられる。本例の左右切欠部１６，１７は半円形状に形成されているが、学生服等上着内に装用した場合に、生地の上からそれと判別できる形状であればいかなる形状に形成してもよい。したがって、学生服等上着内に保形台紙を装用した状態で生地の上から左右切欠部１６，１７を指で探り、上側折曲線１４と下側折曲線１５をともに山折りとして、図３に示される上下二つ折り状態にした後に包装箱に収容すると、下側の基板１ｂの上端部と下端部とが包装箱の上壁内側と下壁内側とに当接するので、学生服等が安定保持されるのである。
【００１９】
【発明の効果】
本発明に係る上着用保形台紙は、厚紙のみから切り抜き形成されるために製造コストが安価であり、組み立てや廃棄処理が簡単であるほか、保管・運搬時には板紙状態で取り扱えるために保管スペースや輸送コストの低減を図ることができる。また、従来の保形台紙を用いた場合に見られた詰襟基部（首回り）の奇妙な浮き上がりや陥没を防止することができるとともに両肩袖付け部分の理想的な保形を図ることができる。
【００２０】
さらに、上下二つ折りにした際には下側の基板が包装箱の内寸と概略一致していることから包装箱と学生服等との遊びが少ないので、包装箱に収容しても上下二つ折り部分ほかに皺や折目が付きにくく、輸送時等において振動が加わっても学生服等が型くずれしにくい。
【図面の簡単な説明】
【図１】本発明に係る上着用保形台紙の一例を示した平面図である。
【図２】図１の保形台紙を組み立てた状態の平面図である。
【図３】図１の保形台紙を上下に二つ折りした状態の平面図である。
【図４】従来一般に使用されている保形台紙を示した平面図である。
【図５】従来の樹脂成形による保形台紙を示した斜視図である。
【符号の説明】
１ａ，１ｂ    基板
２    襟ぐり
３    立壁
４    肩支持板
１１    切込線
１２    内折目
１３    外折目
１６，１７    切欠部
３１    係合突起
３２    係合溝
【図１】
0003558604.tif 000002
【図２】
0003558604.tif 000003
【図３】
0003558604.tif 000004
【図４】
0003558604.tif 000005
【図５】
0003558604.tif 000006